(57)【要約】【課題】不都合なく内部情報を視認することのできる収納箱を提供すること。【解決手段】複数枚のティッシュペーパＰを１枚または数枚ずつ取出口１５から取り出し可能に折り畳んで積み重ねた状態で収納する直方体状の収納箱１０であって、取出口１５の形成されている上面部１１に角縁１０ｅを介して連続する長尺な側面部１３の一方に、内部を視認可能に開口する複数の切抜開口部２１が形成されており、切抜開口部の開口縁２１ｅ間の間隔が平均３ｃｍ以下になるように形成されている。【選択図】図１
2020033036.tif 000002
【特許請求の範囲】
【請求項１】
複数枚の薄葉紙を１枚または数枚ずつ取出口から取り出し可能に折り畳んで積み重ねた状態で収納する直方体状の収納箱であって、
前記取出口の形成されている取出口面および当該取出口面に角縁を介して連続する周囲面のうちの少なくとも一面に、内面を視認可能に開口する複数の切抜開口部が形成されており、
前記切抜開口部の開口縁間の間隔が平均３ｃｍ以下になるように形成されていることを特徴とする収納箱。
【請求項２】
複数枚の薄葉紙を１枚または数枚ずつ取出口から取り出し可能に折り畳んで積み重ねた状態で収納する直方体状の収納箱であって、
前記取出口の形成されている取出口面および当該取出口面に角縁を介して連続する周囲面のうちの少なくとも一面に、内面を視認可能に開口する複数の切抜開口部が形成されており、
前記切抜開口部の開口縁間の間隔が３ｃｍ以下になるように形成されていることを特徴とする収納箱。
【請求項３】
前記切抜開口部は、前記角縁の一辺および当該一辺に直交する他辺のうちの少なくとも一方の対向する両辺の近傍まで連続して形成されていることを特徴とする請求項１または請求項２に記載の収納箱。
【請求項４】
前記切抜開口部は、前記角縁に隣接して強度を確保するのに必要な開口未形成幅の内側領域内に形成されていることを特徴とする請求項１から請求項３のいずれか１項に記載の収納箱。
【請求項５】
前記切抜開口部は、前記一面における開口面積の合算値が２０％から６０％の範囲内になるように形成されていることを特徴とする請求項１から請求項４のいずれか１項に記載の収納箱。
【請求項６】
前記切抜開口部は、１つの開口面積の平均値が５ｍｍ2から２００ｍｍ2の範囲内になるように形成されていることを特徴とする請求項１から請求項５のいずれか１項に記載の収納箱。
【請求項７】
前記切抜開口部は、前記直方体状の長尺な前記角縁側を横方向として、短尺な前記角縁側を縦方向として、前記一面における開口縁の形状の縦横比（縦／横）が１．１以上になるように形成されていることを特徴とする請求項１から請求項６のいずれか１項に記載の収納箱。
【請求項８】
前記内面の少なくとも一部が単色の色材で形成されていることを特徴とする請求項１から請求項７のいずれか１項に記載の収納箱。
【請求項９】
前記内面の少なくとも前記薄葉紙の接触する領域が、表面粗さＲａ０．８μｍ以下に作製されていることを特徴とする請求項１から請求項８のいずれか１項に記載の収納箱。
【請求項１０】
前記内面の少なくとも前記薄葉紙の接触する領域が、静摩擦係数０．１５〜０．３０に作製されていることを特徴とする請求項１から請求項９のいずれか１項に記載の収納箱。
【発明の詳細な説明】
【技術分野】
【０００１】
本発明は、薄葉紙を収納する内部空間を視認可能な収納箱に関する。
【背景技術】
【０００２】
ティッシュペーパなどの薄めの薄葉紙は、ボックス形状の箱内に収納して、最上位から順次に取出口から引き出して使用するのが一般的であり、その残量は、その取出口から内部を覗くなどして確認することができる。
【０００３】
特許文献１には、その取出口を覗くことなく、ティッシュペーパが少なくなったことを確認可能に側面の底部側に覗き窓を設置した収納箱が開示されている。
【先行技術文献】
【特許文献】
【０００４】
【特許文献１】特開２００８−２９６９８４号公報
【発明の概要】
【発明が解決しようとする課題】
【０００５】
しかしながら、特許文献１に記載のような収納箱にあっては、覗き窓が底部側に位置するように、常に、取出口が上面に位置する姿勢で使用する訳ではなく、例えば、壁に沿うように吊下げる姿勢で使用する環境の場合もある。この場合には、残量が少なくなったティッシュペーパは、屈曲して覗き窓のない低位の位置にまとまってしまう状況になることが往々にして発生する。すると、ティッシュペーパの残量を正確に確認することができなくなってしまう。
【０００６】
この課題を解消するには、その覗き窓を幅（上下）方向に延長することで解消することができ、さらに、少なくなったときだけでなく、使用開始から残量を把握可能にするには、高さ（厚さ）方向にも延長することで解消することができる。
【０００７】
しかしながら、収納箱の側面に形成する覗き窓の開口面積をそのように広くすると、内部のティッシュペーパがその覗き窓から不用意に出てきてしまう、という不都合が発生する可能性が生じてしまう。
【０００８】
そこで、本発明は、不都合なく内部情報を視認することのできる収納箱を提供することを目的としている。
【課題を解決するための手段】
【０００９】
上記課題を解決する収納箱の発明の一態様は、複数枚の薄葉紙を１枚または数枚ずつ取出口から取り出し可能に折り畳んで積み重ねた状態で収納する直方体状の収納箱であって、前記取出口の形成されている取出口面および当該取出口面に角縁を介して連続する周囲面のうちの少なくとも一面に、内面を視認可能に開口する複数の切抜開口部が形成されており、前記切抜開口部の開口縁間の間隔が平均３ｃｍ以下になるように形成されていることを特徴とするものである。
【発明の効果】
【００１０】
このように本発明の一態様によれば、内部の薄葉紙を不用意に脱落させてしまうなどの不都合なく、内部の薄葉紙の残量などの状況の内部情報を視認することのできる収納箱を提供することができる。
【図面の簡単な説明】
【００１１】
【図１】図１は、本発明の第１実施形態に係る、薄葉紙を取り出し可能に収納する収納箱の全体構成を示す外観斜視図である。
【図２】図２は、薄葉紙の束を収納箱に収納する梱包工程を説明する斜視図である。
【図３】図３は、薄葉紙の引き出し前の状態を示す収納箱上部の縦断面図である。
【図４】図４は、薄葉紙の引き出し途中の状態を示す収納箱上部の縦断面図である。
【図５】図５は、収納箱に形成される切抜開口部の形成領域を示す側面図である。
【図６】図６は、収納箱に形成される切抜開口部の構成を示す平面図である。
【図７】図７は、収納箱に形成される切抜開口部によるパターン模様の一例を示す平面図である。
【図８】図８は、図７と異なる切抜開口部によるパターン模様を示す平面図である。
【図９】図９は、図５と異なる切抜開口部の形成領域を示す側面図である。
【図１０】図１０は、収納箱の取出口の構成を示す平面図である。
【図１１】図１１は、収納箱の組み立てる前のシートを示す平面図である。
【図１２】図１２は、本発明の第２実施形態に係る、薄葉紙を取り出し可能に収納する収納箱の全体構成を示す外観斜視図である。
【図１３】図１３は、薄葉紙の束を収納箱に収納する梱包工程を説明する斜視図である。
【図１４】図１４は、その梱包工程における作用効果を説明する側面図である。
【発明を実施するための形態】
【００１２】
以下、図面を参照して、本発明の実施形態について詳細に説明する。図１〜図１１は本発明の第１実施形態に係る収納箱を示す図である。
【００１３】
＜第１実施形態＞
図１において、収納箱１０は、図１１に示すシート１０Ｓを直方体に組み立てて、汎用のティッシュペーパＰを１枚ずつ取り出せるように収納するケースであり、２つ折りに畳んで半面の間に交互に挟み込む状態で積み重ねた複数枚のティッシュペーパＰの束１０Ｂにして内部空間Ｓ内に収納するようになっている。収納箱１０は、上面部１１がティッシュペーパＰを２つ折りした長方形（正方形も含む矩形）に相似する形状に形成されて、短尺な側面部１２および長尺な側面部１３がティッシュペーパＰの束１０Ｂの厚さ程度の直方体のボックス形状に作製されている。収納箱１０は、後述する図２に示すように、その短尺な側面部１２を開口させた状態でティッシュペーパＰの束１０Ｂを差し込んだ後に閉止するようになっている。ここで、図１１の組み立て前のシート１０Ｓには、収納箱１０に組み立てた際の部位に該当する符号を付しており、後述する側面部１２、１３の上片１２ａ、下片１２ｂおよび延長片１３ａ、１３ｂと共に、のりしろ１０ｇを接着することにより直方体に組み立てている。また、本実施形態では、一辺が他辺よりも長い直方体の収納箱１０を一例として説明するが、これに限るものではなく、収納箱としては、例えば、直方体に含まれる立方体でもよい。
【００１４】
この収納箱１０は、上面部１１、側面部１２、１３および底面部１４が厚紙で作製されて、そのうちの一面である上面部（取出口面）１１の中央付近に、長手方向に延長されている長穴１５が形成されている。長穴１５は、収納箱１０内に収納する最上面のティッシュペーパＰを摘むことができるように、指先を差し込み可能な程度の面積で開口可能にミシン目により形成されており、収納箱１０内のティッシュペーパＰの最上位Ｐｔを引き出して端辺Ｐｅ側（２つ折りの折辺側の場合もある）から取り出すことができるようになっている。
【００１５】
これにより、収納箱１０は、長穴１５を取出口として、ティッシュペーパＰを１枚ずつ取り出し可能に、かつ、バラバラにならないように保持している。なお、収納箱としては、長穴１５に指先で変形可能な可撓性を有するビニール樹脂等のフィルムを設置してホコリ等が内部に侵入しないように閉塞してもよく、その長穴１５の長手方向に延長されているスリットを形成することにおり、内部に収納するティッシュペーパＰをホコリ等に汚損されずに清潔な状態に維持しつつ取り出し可能にしてもよい。
【００１６】
このティッシュペーパＰは、梱包工程を図示する図２に示すように、その束１０Ｂの状態のまま、短尺側の側面部１２を開放状態にした収納箱１０内に差し込まれた後に、その側面部１２の上片１２ａと下片１２ｂとが長尺側の側面部１３側の延長片１３ａ、１３ｂに接着されることで、その開口が閉止されて梱包されることによりパッケージ１０Ｐにされている。なお、上片１２ａと下片１２ｂは長尺側の側面部１３に折り曲げ可能なヒンジ１０ｈとして機能する角縁（エッジ）１０ｅを介して連続的に延長されており、延長片１３ａ、１３ｂも同様に上面部１１と底面部１４とにヒンジ１０ｈとして機能する角縁１０ｅを介して連続的に延長されている。
【００１７】
ここで、ティッシュペーパＰは、図３に示すように、最上位Ｐｔの２つ折りの間に、後続の半面Ｐｈを挟み込んでその半面Ｐｈの片側をさらに後続の２つ折りの間に挟み込む形態を連続させることにより積み重ねられて収納箱１０内に収納されている。この収納形態では、図４に示すように、最上面のティッシュペーパＰが摘まれて長穴１５（以下では取出口１５と称する）から引き出される際に、その２つ折りの間に挟み込まれている後続のティッシュペーパＰが摩擦力で引き摺られて、その取出口１５から半面Ｐｈが露出することになる。これにより、ティッシュペーパＰは、次の引き出し時に容易に摘むことができる形態で待機するようになっていて、使い勝手に優れるパッケージ１０Ｐになっている。
【００１８】
そして、収納箱１０は、図５に示すように、直方体の６面の平面の周囲に位置する角縁１０ｅに囲まれている長尺側の側面部（周囲面）１３の片側の形成領域２０内に、内部空間Ｓを目視により把握して内部状況（内部情報）を視認可能に切り抜かれた形態で開口する複数の切抜開口部２１が形成されている。切抜開口部２１は、取出口１５のミシン目と同様に、直方体に組み立てる前の図１１に示すシートの状態で、例えば、打ち抜くことにより形成されている。ここで、本実施形態では、一方の長尺側の側面部１３の形成領域２０内に切抜開口部２１を形成する場合を一例として説明するが、これに限るものではなく、側面部１３の双方や短尺側の側面部（周囲面）１２や上面部１１にも形成してもよいことはいうまでもない。なお、収納箱１０の取出口１５は、上面部１１の角縁１０ｅの１ｃｍ以上内側で開口するように形成されており、この取出口１５でも、ミシン目により開口させた時には、内部空間Ｓを目視により把握して内部状況を視認可能にされる。
【００１９】
形成領域２０は、収納箱１０の角縁１０ｅから５ｍｍ以上（好ましくは１０ｍｍ以上）のフレーム幅Ｆを確保する内側に、切抜開口部２１を打ち抜いて開口形成するように設定されており、形成領域２０と角縁１０ｅとの間は、開口未形成幅として、収納箱１０が収納ボックスとして直方体形状を維持可能な強度を確保するフレーム１０ｆとして機能する。この形成領域２０は、収納箱１０の少なくとも１つの角縁１０ｅと、好ましくは本実施形態のように、直交する２つ以上の角縁１０ｅと平行に延長されて、それぞれの端部２０ｅが対向する角縁（辺）１０ｅ近傍に位置するように設定されて、切抜開口部２１が内側に開口形成されている。
【００２０】
切抜開口部２１は、図６に示すように、同一径Ｄの円形で開口して、その円中心が正三角形の頂点に一致するように均等配置されている。この切抜開口部２１は、開口縁２１ｅの間隔の離隔距離Ｌの平均が３ｃｍ以内、好ましくは、１ｃｍ以内、さらに好ましくは、５ｍｍ以内で開口するように、また、その離隔距離Ｌの下限としては、その切抜開口部２１の形成面の平面状態を維持可能な強度を得られる、例えば、０．１ｍｍ以上、好ましくは０．５ｍｍ以上、さらに好ましくは１ｍｍ以上を確保するように、形成領域２０内にレイアウトされて形成されている。
【００２１】
これにより、収納箱１０では、大面積の形成領域２０内に複数の切抜開口部２１を開口させても、ティッシュペーパＰを取出口１５から引き抜き可能に収納するのに必要な強度をフレーム１０ｆにより確保しつつ、その切抜開口部２１から内部空間Ｓの状況を視認可能にされている。この形成領域２０では、小さいサイズの切抜開口部２１を広い範囲に複数開口させているので、収納するティッシュペーパＰを脱落させることはなく、その複数の切抜開口部２１を通してティッシュペーパＰの有無など、収納箱１０内の内部空間Ｓの状況を視認することができる。特に、形成領域２０の角縁１０ｅの近傍の端部２０ｅ付近では、その切抜開口部２１におけるティッシュペーパＰの有無に応じて残量とともに、片側の端部２０ｅで視認不能の場合にはティッシュペーパＰが屈曲変形して反対側によっているなどの状況を把握することができる。
【００２２】
ここで、切抜開口部２１は、図６に示すサイズで均等配置するパターン模様に限るものではなく、例えば、１つの開口面積の平均値が５ｍｍ2から２００ｍｍ2の範囲内にしつつ、収納箱１０の形成面における開口面積の合算値が２０％から６０％の範囲内に収めて、その形成面の平面状態を維持する強度を確保するのが好適である。この場合、切抜開口部２１の開口面積を小さくすることで強度を維持しつつ指先が内部に入らないようにすることができ、その一方で切抜開口部２１の開口面積を大きくすることで容易に軽量化を図ることができる。
【００２３】
また、切抜開口部２１は、円形に限らず、下面側を底面部１４としたときに直方体の長尺な角縁１０ｅの水平方向に一致する横方向と、短尺な角縁１０ｅの上下方向に一致する縦方向との縦横比（縦／横）が１．１以上になる開口形状にすることによって、縦方向の強度を横方向の強度よりも大きくして上方からの負荷で簡単に潰れてしまわないように作製するようにしてもよい。
【００２４】
さらに、切抜開口部２１は、形成領域２０内における配置や開口密度（開口縁２１ｅの離隔距離Ｌ）や開口数に応じて、収納箱１０の形成面における平面状態を維持する強度を増減うることができ、例えば、使用後に潰し易い強度に調整することもできる。また、切抜開口部２１は、その配置に応じて、例えば、ティッシュペーパＰの残量を示す並列残量窓として機能させたり、さらに、規則模様・不規則模様・イラスト模様などのデザイン感の印象を与えるようにすることもできる。
【００２５】
具体的に、切抜開口部２１は、例えば、図７に示すように、形成領域２０内の全体に図６に示す均等配置で並列状態に開口形成されることにより、ティッシュペーパＰの残量を容易かつ簡易に把握可能な規則模様（パターン模様）にレイアウトされている。
【００２６】
この切抜開口部２１としては、図７に示すパターン模様に限るものではなく、例えば、図８（ａ）に示すように、円中心が矩形の頂点に一致するように均等配置されていてもよい。
【００２７】
また、切抜開口部２１としては、図８（ｂ）に示すように、直径Ｄ１〜Ｄ６などと異径の円形で開口しているとともに、その開口縁２１ｅの間隔も離隔距離Ｌ２〜Ｌ６などと不規則に配置されている不規則模様を構成するように開口形成されていても良い。この場合には、離隔距離Ｌ（上限）が３ｃｍ以内、好ましくは、１ｃｍ以内、さらに好ましくは、５ｍｍ以内で開口するように形成するのが一体的なデザインとして印象付けることができる。
【００２８】
また、切抜開口部２１としては、円形に限るものではなく、例えば、長方形（矩形）で開口して、規則配置や不規則配置するパターン模様を形成するようにしてもよく、図８（ｃ）に示すように、切抜開口部２１の開口幅Ｗ１、Ｗ２よりもその開口縁２１ｅの離隔距離Ｌを著しく小さく（Ｗ１＞Ｗ２＞＞Ｌ）することにより、形成領域２０内の全面をティッシュペーパＰの色で表示するようにしてもよい。
【００２９】
さらに、切抜開口部２１としては、図示することは省略するが、円形や矩形などの定型に限るものではなく、例えば、ハート型、星型、果物、動物などのイラストを規則配置や不規則配置するパターン模様を形成するようにしてもよい。また、収納箱１０の一面の所望の形成領域内に、適宜の寸法・形状に形成した切抜開口部２１を配置して、所謂、デザイン模様や風景等を線図や彩色面積領域とで区別して表現するようにしてもよく、例えば、葛飾北斎作の浮世絵の冨嶽三十六景の神奈川沖浪裏などの図案を形成するようにしてもよい。この場合には、収納箱１０の側面部１３に内面１３ｉやティッシュペーパＰの色によりデザイン性の高い模様を効果的に表示することができる。
【００３０】
ところで、切抜開口部２１の形成領域２０としては、図５に示すように、収納箱１０の短尺な側面部１２および底面部１４と長尺な側面部１３との間の角縁１０ｅに対して平行に沿うように延長されている形状に限るものではないことはいうまでもない。
【００３１】
例えば、形成領域２０としては、図９（ａ）に示すように、上面部１１の角縁１０ｅに沿うように長尺形状に延長されているとともに、その中央付近が底面部１４に接近する方向に延長されている、所謂、漏斗の形状になるように形成するようにしてもよい。この場合には、消費が少ないときに、上面部１１と平行に長い範囲でティッシュペーパＰの色材色を切抜開口部２１から視認させることができ、また、その消費が進んで残量が少なくなったときには、その漏斗形状の切抜開口部２１の先端側の小さな面積の端部２０ｅでティッシュペーパＰの色材色を視認させることができ、その残量に応じた印象で知らせることができる。
【００３２】
さらに、形成領域２０としては、図９（ｂ）に示すように、上面部１１と一方の短尺な側面部１２との角縁１０ｅで挟まれる角部１３ｃ１から、底面部１４と他方の短尺な側面部１２との角縁１０ｅで挟まれる角部１３ｃ２に向かうように、直線的に斜め方向に延長されている形状に形成してもよい。この場合には、切抜開口部２１の開口面積の合計値を小さく抑えたまま、ティッシュペーパＰの残量が上面部１１に接近する多い状態から底面部１４に接近する少ない状態までの範囲を表示可能にすることができ、切抜開口部２１から視認するティッシュペーパＰの色材色の長さによって、その残量を把握させることができる。
【００３３】
このように、収納箱１０の作製者は、ティッシュペーパＰを収納するパッケージとする際に、その直方体形状を維持するのに必要なフレーム強度や、快適に利用する際に必要な印象を得ることができるように、形成領域２０の位置や範囲や形状等を検討して、また、切抜開口部２１の配置や開口密度や開口数を検討して決定すればよい。
【００３４】
これにより、収納箱１０の使用者は、形成領域２０内における切抜開口部２１の並列などの配置などに応じて、その切抜開口部２１から収納箱１０の内部空間Ｓを目視により認識把握することができ、例えば、収納箱１０内のティッシュペーパＰの残量を視認可能にして快適な使用感を得られるようにすることができる。この収納箱１０は、その切抜開口部２１のサイズや形状と共に形成領域２０内におけるレイアウトに応じて美観などを生じさせることができ、また、その収納箱１０自体の軽量化を図ることができる。
【００３５】
また、収納箱１０は、上面部１１、側面部１２、１３および底面部１４の内面１１ｉ、１２ｉ、１３ｉ、１４ｉの全面が単色、例えば、白色系に形成されており、白色系の色材が塗布されて形成されている。なお、本実施形態では、内面１１ｉなどの全面を白色系に形成するが、後述するように、切抜開口部２１や取出口１５から視認可能な範囲内のみ、例えば、その切抜開口部２１などに対向する内面のみを白色系に形成するようにしてもよい（白色内面の対向面に切抜開口部２１などを形成する）ことはいうまでもない。また、その内面１１ｉなどに色材を塗布して色材部として形成する場合を一例にして説明するが、これに限るものではなく、収納箱１０を作製する原紙自体の材料から白色系に調整してもよく、例えば、未漂白パルプを２０％以下に抑えられている紙材が露出する原紙を利用して色材部として機能する内面を作製するようにしてもよいことはいうまでもない。
【００３６】
これにより、収納箱１０の使用者は、ティッシュペーパＰが内面１１ｉなどと同色の白色系の場合、切抜開口部２１からはティッシュペーパＰと内面１１ｉなどとを区別なく色を視認することができ、その切抜開口部２１により形成されるデザイン模様などを明確に周辺領域と区別して美観等を把握することができる。また、ティッシュペーパＰが内面１１ｉなどと異なる色系統の場合には、切抜開口部２１からはティッシュペーパＰと内面１１ｉなどとを区別して視認することができ、その切抜開口部２１により形成されるデザイン模様などを２色で区分けした美観を感じつつ、そのティッシュペーパＰの残量などの状況（内部情報）を容易に把握することができる。さらに、収納箱１０は、例えば、底面部１４の内面１４ｉなどに応募はがき等や各種説明文などを印刷表示する場合、図１０に示すように、その文字等（内部情報）を取出口１５から明確かつ容易に把握することができ、白色系の内面１４ｉから文字色を明確に区別して視認することができる。なお、内面１１ｉなどに塗布する色材としては、青色、空色、緑色、黄緑色、桃色、黒色、灰色、あるいは、これら以外の中間色でもよく、ティッシュペーパＰの色に応じて適宜に選択すればよい。
【００３７】
特に、収納箱１０は、ティッシュペーパＰや内面１１ｉなどを白色にすることにより清潔感などの印象を付加することができ、内面１１ｉなどに塗布する色材としては、例えば、ＪＩＳ  Ｐ  ８１４８に基づく白色度が７０％以上の白色材を採用するのが好適である。この場合には、内面１１ｉなどへの印刷が容易になると共に、その印刷情報を視認し易くすることができ、収納するティッシュペーパＰの色を鮮明に認識可能にすることができる。また、この収納箱１０は、内面１１ｉなどに色材を塗布することにより、箱としての平面強度を向上させて、その箱形状をより維持し易くすることができ、さらに、その色材として、アクリル系やスチレン系のコート材を用いることによって、その強度をより向上させることができ、また、ＪＩＳ  Ｐ  ８１４２に基づく７５度鏡面光沢が４０％以上の色材として高級感などの印象を向上させることもできる。
【００３８】
このように、本実施形態の収納箱１０においては、一方の長尺な側面部１３に複数の切抜開口部２１が形成されて、その切抜開口部２１の開口縁２１ｅの平均離隔距離Ｌが３ｃｍ以下で連続しているので、内部空間Ｓ内に収納するティッシュペーパＰを脱落させるなどの不都合なく、その残量などの内部情報を目視して把握（確認）することができる。
【００３９】
また、収納箱１０では、その切抜開口部２１からティッシュペーパＰと共に内面１３ｉなども目視することができ、例えば、切抜開口部２１全体を同色の模様として、また、ティッシュペーパＰの消費に伴って色の比率の変化する模様として視認することができる。なお、切抜開口部２１は複数並列して形成されているので、収納するティッシュペーパＰをその切抜開口部２１から脱落させてしまうことはなく、また、形成面積や個数に応じた軽量化を図ることができる。
【００４０】
この結果、使い勝手のよい美観に優れる、ティッシュペーパＰの収納箱１０を提供することができる。
【００４１】
＜第２実施形態＞
次に、図１２〜図１４は本発明の第２実施形態に係る収納箱を示す図である。ここで、本実施形態は、上述実施形態と略同様に構成されているので、同様の構成には同一の符号を付して特徴部分を説明する。
【００４２】
図１２において、収納箱５０は、上述実施形態と同様に、上面部１１と、長尺な側面部１３と、底面部１４とによりティッシュペーパＰの束１０Ｂを収納可能な内部空間Ｓを有する断面４角形の筒形状に形成されており、その両端側を短尺な側面部５２により閉止することにより直方体のボックス形状に作製されている。この収納箱５０は、後述する図１３に示すように、その短尺な側面部５２を開口させた状態でティッシュペーパＰの束１０Ｂを差し込んだ後に閉止するようになっている。
【００４３】
この収納箱５０は、上述実施形態では収納箱１０の側面部１２が互いに接着接合されて両端側の開口を閉止する上片１２ａおよび下片１２ｂにより構成されているのに代えて、上面部１１、側面部１３および底面部１４により囲まれる開口形状に形成された１枚の厚紙からなる側面部５２を備えている。側面部５２は、上面部１１にヒンジ１０ｈとして機能する角縁１０ｅを介して連続するように連結形成されており、その対辺側には底面部１４の内面１４ｉ側に差し込んで閉止状態を維持する差込片５２ａ（図１３、図１４を参照）が折り曲げ可能なヒンジ５２ｈを介して連続するように連結形成されている。
【００４４】
この構造により、収納箱５０は、側面部５２が上面部１１側との連結箇所（ヒンジ１０ｈ）を折り曲げられて角縁１０ｅにされつつ、差込片５２ａとの連結箇所（ヒンジ５２ｈ）を折り曲げられて底面部１４の内面１４ｉ側にその差込片５２ａが差し込まれて角縁１０ｅを形成されることによって両端側の開口が閉止される。このとき、長尺な側面部１３側の延長片１３ａ、１３ｂは、上述実施形態と同様に連結箇所のヒンジ１０ｈを折り曲げられつつ、その側面部５２の内側に位置されてその両端側の開口を閉止する。
【００４５】
ここで、本実施形態の短尺側の側面部５２は、１枚の厚紙から作製されていることから、上述実施形態のように上片１２ａおよび下片１２ｂを接着接合する側面部１２に比べて、切抜開口部２１の形成領域２０を設定し易くなっている。なお、この場合の長尺な側面部１３側の延長片１３ａ、１３ｂは、フレーム１０ｆとして機能する範囲と重なることから切抜開口部２１の形成領域２０の設定に大きな妨げになってしまうことはないが、側面部５２の両側方に形成してもよい。
【００４６】
この構造により、収納箱５０は、梱包工程を図示する図１３に示すように、上下を反転して上面部１１を下側にして側面部５２を開放することにより片側を開口した状態でティッシュペーパＰの束１０Ｂを内部空間Ｓ内に差し込んで収納することができ、そのまま底面部１４の内側に差込片５２ａを差し込んで片側開口を閉止することによって、ティッシュペーパＰの束１０Ｂを内装するパッケージ１０Ｐにされる。この収納箱５０は、利用時に取出口１５を備える上面部１１が上側にされることによって、側面部５２は差込片５２ａ側を回転降下させる姿勢で底面部１４の内側に差し込む状態になっており、その側面部５２が自重により回転して開口状態になってしまうことがない。
【００４７】
このため、収納箱５０は、例えば、収納するティッシュペーパＰを使い切った後に、側面部５２を開閉してティッシュペーパＰの束１０Ｂを内部空間Ｓ内に差込・補充（収納）することにより繰り返し使用することができ、繰り返し使用するほどコスト削減することができる。また、収納箱５０は、側面部５２を開けて内部空間Ｓを開放することができることから、簡易なビニール袋などにティッシュペーパＰの束１０Ｂが収納されている形態で提供されている場合には、その一端側を切断開口して内部空間Ｓ内に差し込んで、そのビニール袋のみを引き抜くことで容易にティッシュペーパＰの束１０Ｂを内部空間Ｓ内に差込・補充（収納）することもできる。
【００４８】
また、収納箱５０は、側面部５２の内面５２ｉと共に、他の内面１１ｉ、１３ｉ、１４ｉも含めて、その表面粗さＲａが０．８μｍ以下（静摩擦係数０．１５〜０．３０でもよい）にして、接触するティッシュペーパＰの滑りが良くなるように作製されている。ここで、梱包作業時にティッシュペーパＰが接触する、少なくとも側面部５２、１３、上面部１１の内面５２ｉ、１３ｉ、１１ｉの滑りを特に良くするのが好ましい。また、上述実施形態の収納箱１０でも内面の滑りを良くするように作製してもよいことは言うまでもない。なお、表面粗さＲａの測定方法としては、共焦点顕微鏡（キーエンス社製ＶＲ３０００シリーズなど）を用いる非接触測定により求めている。また、静摩擦係数の測定方法としては、ＪＩＳ  Ｐ８１４７に準拠している。
【００４９】
これにより、収納箱５０は、図１４に示すように、上下を反転させて側面部５２を開けた状態でティッシュペーパＰの束１０Ｂを内部空間Ｓ内に収納する梱包工程を行う際に、下側に位置する上面部１１に連続する側面部５２の内面５２ｉにティッシュペーパＰの束１０Ｂを抵抗少なく接触させて滑らせることができ、内部空間Ｓ内を奥に向かってスムーズに進行させることができる。このため、ティッシュペーパＰの束１０Ｂが奥に向かって押される際に、接触抵抗によって横方向にぶれて側面部１３の内面１３ｉに強く当たってしまうことを回避することができ、その側面部１３に開口する切抜開口部２１の開口縁２１ｅに繰り返し突き当たってしまうことなく、梱包工程を快適かつ効率よく完了することができる。
【００５０】
このように、本実施形態の収納箱５０においては、上述実施形態による作用効果に加えて、短尺な側面部５２を開放状態にして、ティッシュペーパＰの束１０Ｂの先端側を内面５２ｉから上面部１１の内面１１ｉに向けて抵抗少なく接触させて収納方向に滑らせることができ、長尺な側面部１３に形成されている複数の切抜開口部２１の開口縁２１ｅに不必要に突き当てて進行し辛くしてしまうことを回避することができる。
【００５１】
この結果、ティッシュペーパＰの束１０Ｂを作業負担なく繰り返し補充交換可能な使い勝手のよい、ティッシュペーパＰの収納箱５０を提供することができる。なお、短尺な側面部５２は、上述実施形態の側面部１２（上片１２ａと下片１２ｂ）のように接着する２部材ではないことから、切抜開口部２１を制限少なく形成することができ、収納箱５０のデザイン性を向上させることもできる。
【００５２】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画され得る。
【符号の説明】
【００５３】
１０、５０……収納箱
１０ｅ……角縁
１０ｆ……フレーム
１０ｈ、５２ｈ……ヒンジ
１１……上面部
１１ｉ、１２ｉ、１３ｉ、１４ｉ、５２ｉ……内面
１２、１３、５２……側面部
１４……底面部
１５……取出口
２０……形成領域
２０ｅ……端部
２１……切抜開口部
２１ｅ……開口縁
５２ａ……差込片
【図１】
2020033036.tif 000003
【図２】
2020033036.tif 000004
【図３】
2020033036.tif 000005
【図４】
2020033036.tif 000006
【図５】
2020033036.tif 000007
【図６】
2020033036.tif 000008
【図７】
2020033036.tif 000009
【図８】
2020033036.tif 000010
【図９】
2020033036.tif 000011
【図１０】
2020033036.tif 000012
【図１１】
2020033036.tif 000013
【図１２】
2020033036.tif 000014
【図１３】
2020033036.tif 000015
【図１４】
2020033036.tif 000016